(57)【要約】【課題】様々な壁面に装着できて筆記具を保持可能で、筆記具が着脱しやく、かつ美観にも優れたペンホルダーを提供する。【解決手段】本考案のペンホルダー１は、筒軸方向の一端部から他端部に向かって筒径がテーパ状に縮小する筒状を成し、筆記具を保持するための筒状部分２と、該筒状部分の側面に一定幅で母線方向略全長に渡って設けられ、頂部が固定用両面テープを貼付するための平坦面３ａを成す凸条部分３、とを有し、前記凸条部分３の突出高さが、前記一端部から前記他端部に向かって小さくなるテーパ状を有する。【選択図】図１
0003227323.tif 000002
【実用新案登録請求の範囲】
【請求項１】
筒軸方向の一端部から他端部に向かって筒径がテーパ状に縮小する筒状を成し、筆記具を保持するための筒状部分と、該筒状部分の側面に一定幅で母線方向略全長に渡って設けられ、頂部が固定用両面テープを貼付するための平坦面を成す凸条部分、とを有し、前記凸条部分の突出高さが、前記一端部から前記他端部に向かって小さくなるテーパ状を有することを特徴とするペンホルダー。
【請求項２】
前記平坦面に、取付対象物へ固定するための両面テープがさらに粘着されている、請求項１に記載のペンホルダー。
【請求項３】
前記平坦面に、取付対象物へ固定するための面ファスナが両面テープを介して粘着されている、請求項１に記載のペンホルダー。
【請求項４】
前記平坦面に、取付対象物へ固定するためのマグネットシートが両面テープを介して粘着されている、請求項１に記載のペンホルダー。
【請求項５】
前記筒状部分及び前記凸条部分の材質は、ポリ塩化ビニル又はメタクリル樹脂である、請求項１に記載のペンホルダー。
【請求項６】
前記平坦面の角度は、前記筒状部分の筒軸から４度〜６度である、請求項１に記載のペンホルダー。
【考案の詳細な説明】
【技術分野】
【０００１】
本考案は、ペンホルダーに関する。
【背景技術】
【０００２】
従来、ホワイトボードや、レストランの受付における記入ボード用の筆記具は、使用者がこれらのボードにすぐに記入できるように、これらのボード上や筆記具受けに配置され、使用者がそれを用いてボードに記入等している。
しかし、そのような場所に置かれた筆記具は転がりやすく、散逸しやすいという問題があった。
【０００３】
この問題に対し、特許文献１は、筒径がテーパ状に変化する筒状体を洗濯ばさみと結合して、ボードの端部などに挟んで固定し、筒状体に入れた筆記具を保持するペンホルダーを開示している。
【０００４】
また、特許文献２は、縦方向にすり割りが入った筒状体と、固定用磁石を組み合わせたペンホルダーであって、磁性材料のボート等に装着でき、筒状体へ挿入した筆記具を筒状体が弾力で掴んで固定できるペンホルダーを開示している。
【先行技術文献】
【特許文献】
【０００５】
【特許文献１】登録実用新案第３１９６１８１号公報
【特許文献２】特開２０１０−１６７６５４号公報
【考案の概要】
【考案が解決しようとする課題】
【０００６】
しかし、特許文献１に記載のペンホルダーでは、ボードの端部など洗濯ばさみを挟める薄い形状のものにしか取り付けられないという問題が懸念される。
また、特許文献２に記載のペンホルダーでは、磁石で取付対象物に固定するので、取付対象物が磁性を有するものに制限されるという問題が懸念される。
また、上記２つのペンホルダーとも、ボード等平面状のものに取り付けると、筆記具を保持する筒状部分がその平面に略平行に近接して配置されるので、筆記具の挿入・取り出しがしにくいという問題が懸念される。
また、上記２つのペンホルダーとも取付対象物への取り付け部（洗濯ばさみ部分や磁石部分）が目立ち美観状好ましくないという問題も懸念される。
【０００７】
本考案が解決しようとする課題は、上記問題を解消でき、様々な壁面に装着できて筆記具を保持可能で、筆記具が着脱しやく、かつ美観にも優れたペンホルダーを提供することにある。
【課題を解決するための手段】
【０００８】
本考案のペンホルダーは、筒軸方向の一端部から他端部に向かって筒径がテーパ状に縮小する筒状を成し、筆記具を保持するための筒状部分と、該筒状部分の側面に一定幅で母線方向略全長に渡って設けられ、頂部が固定用両面テープを貼付するための平坦面を成す凸条部分、とを有し、前記凸条部分の突出高さが、前記一端部から前記他端部に向かって小さくなるテーパ状を有することを特徴とする。
【０００９】
前記ペンホルダーにおいて、前記平坦面に、取付対象物へ固定するための両面テープがさらに粘着されている、構成としてもよい。
【００１０】
前記ペンホルダーにおいて、前記平坦面に、取付対象物へ固定するための面ファスナが両面テープを介して粘着されている、構成としてもよい。
【００１１】
前記ペンホルダーにおいて、前記平坦面に、取付対象物へ固定するためのマグネットシートが両面テープを介して粘着されている、構成としてもよい。
【００１２】
前記筒状部分及び前記凸条部分の材質は、ポリ塩化ビニル、メタクリル樹脂（アクリル樹脂）のものが好ましい。
【００１３】
前記ペンホルダーにおいて、前記平坦面の角度は、前記筒状部分の筒軸から４度〜６度であることが好ましい。
【考案の効果】
【００１４】
本考案によれば、筒状部分の略全長に渡る広い面積の平坦面を設けたので、両面テープ等によりで安定して取付対象物に装着できる。
また、本ペンホルダーを立設したとき、筒状部分の筒径が上端部に向かってテーパ状に拡大し、凸条部分の突出高さも上端部に向かってテーパ状拡大するので、筒状部分が上端側ほど取付対象物から離れるように傾き、筆記具の挿入・取り出しがしやすいというメリットがある。
また、凸条部分は、幅が筒状部分より必然的に小さいので、本ペンホルダーを取付対象物に固定したとき、凸条部分が筒状部分に隠れてすっきりした外観になり、美観の点で好ましい。
【図面の簡単な説明】
【００１５】
【図１】図１は本考案の実施形態のペンホルダーを示す図であり、（ａ）は平面図で、（ｂ）は正面図である。
【図２】図１のペンホルダーの使用状態を示す説明図で、（ａ）は全体図、（ｂ）〜（ｄ）はそのＡ部詳細図で、（ｂ）は両面テープを用いた場合、（ｃ）は面ファスナを用いた場合、（ｄ）はマグネットシートを使用した場合をそれぞれ示す。
【図３】図１のペンホルダーの使用例を示す説明図である。
【図４】図１のペンホルダーの使用例を示す説明図であり、（ａ）従来の筆記具配置の例、（ｂ）は本考案のペンホルダーを用いた筆記具配置の例を示す
【図５】図１のペンホルダーの使用例を示す説明図であり、（ａ）従来の筆記具配置の例、（ｂ）は本考案のペンホルダーを用いた筆記具配置の例を示す。
【考案を実施するための形態】
【００１６】
以下、添付図面に基づいて、本考案の実施形態であるペンホルダーについて説明する。図１は本考案の実施形態のペンホルダーを示す図であり、（ａ）は平面図で、（ｂ）は正面図である。
図１（ａ）（ｂ）に示すように、本考案のペンホルダー１は、筒状部分２と、該筒状部分２の側面に設けられた凸条部分３からなる。
【００１７】
筒状部分２は、筒軸方向の一端部から他端部（図１（ｂ）の上端部から下端部）に向かって筒径がテーパ状に縮小する筒状を成し、様々な径の筆記具を保持する部分である。
保持する筆記具としては、例えば、ボールペン、鉛筆等、径が１０ｍｍ程度のものから、油性・水性マジックペン等径が２０ｍｍ程度ものがある。筆記具の長さは、１３〜１４ｍｍ程度のものが多い。
前記筒状部分２の最大内径は、通常使用する筆記具のうち、最大径の筆記具の少なくとも先端部分が挿入できる径とし、前記筒状部分の最小内径は、最小径の筆記具が抜け落ちない径とする。
また、筒状部分２の長さは、これらの範囲の筆記具の長さの１／２〜２／３程度とすることが好ましい。これにより、筆記具を挿入して安定的に保持できる。
【００１８】
尚、ペンホルダー１の大きさとして、複数種類の大きさのものを用意しても良い。例えば、筒状部分２の最大内径、最小内径、及び長さが異なる２〜３種類のペンホルダーを用意することにより、さらに様々な大きさの筆記具を保持することができる。
【００１９】
凸条部分３は、筒状部分２の側面に一定幅で母線方向略全長に渡って設けられ、頂部が固定用両面テープを貼付するための平坦面３ａを成す部分であり、本実施形態では、筒状部分２と一体成形されている。凸条部分３は、筒状部分２の全長に渡って設られているので、広い面積の平坦面３ａが得られ、両面テープ等によりで安定して取付対象物に固定できる。尚、本ペンホルダー１の固定方向は後述する。
【００２０】
凸条部分３の突出高さは、筒状部分２の一端部から他端部（図１（ｂ）の上端部から下端部）に向かって小さくなるテーパ状を有する。筒状部分２自体もテーパ状を有し、凸条部分３は同方向にさらにテーパ状を有するので、平坦面３ａの角度θは、筒状部分の筒軸から、例えば４度〜６度傾く。
これにより、図２（a）に示すように、ペンホルダー１を取付対象物４に固定した時、筒状部分２の角度が、取付対象物４の壁面から、約４度〜６度になり、筆記具５を着脱しやすい。
凸条部分３の幅は、筒状部分２の幅より必然的に小さいので、ペンホルダー１を取付対象物４に固定した時、その取付面の正面から見ると、凸条部分３が筒状部分２に隠れてすっきりした外観になり、美観の点で好ましい。
【００２１】
筒状部分２及び凸条部分３の材質は、軽量性、コスト、製造しやすさの観点から、例えばプラスチックとすることが好ましい。
プラスチックとしては、例えば、ポリエチレン、ポリプロピレン、ポリスチレン、ポリ塩化ビニル、メタクリル樹脂（アクリル樹脂）、ポリカーボネート等、様々な種類のものを採用できる。
特に、材質がポリ塩化ビニル、メタクリル樹脂（アクリル樹脂）の場合は、アクリル系接着剤等を用いたものなど様々な市販の両面テープが使用でき、好ましい。
一方、材質がポリエチレン、ポリプロピレンの場合は、使用できる両面テープの接着剤の種類が限られるので、注意が必要である。
【００２２】
次に、ペンホルダー１の取付対象物４への固定方法について説明する。
取付対象物は、壁面や、ホワイトボード、記入紙固定ボード、箱体等の平坦なものが想定される。このため、本ペンホルダー１の固定方法としては、両面テープを用いる方法、面ファスナを用いる方法、マグネットシートを用いる方法、の３種類がある。
図２（ｂ）〜（ｄ）は、凸条部分３と取付対象物４との間の固定構造を概念的に示すＡ部詳細図である。
【００２３】
両面テープを使う方法は、図２（ｂ）に示すように、凸条部分３の平坦面３ａを両面テープ６を介して、取付対象物４に粘着する方法である。
両面テープ６は、市販の任意のものが採用できるが、凸条部分３の材質（基本的にプラスチック）に粘着できるものである必要がある。
凸条部分３の材質が、例えば、ポリ塩化ビニル、メタクリル樹脂（アクリル樹脂）の場合は、アクリル系接着剤を用いるもの等、様々な両面テープ６で粘着可能である。
一方、凸条部分３の材質がポリエチレン、ポリプロピレンの場合は、その材質専用の両面テープ６を使用する必要があるので、注意が必要である。
【００２４】
面ファスナを使う方法は、図２（ｃ）に示すように、凸条部分３の平坦面３ａに両面テープ６を介して、面ファスナ７の一方のシート７ａを貼付し、取付対象物４にも面ファスナ７の他方のシート７ｂを貼付して、両者を接続することにより、ペンホルダー１を取付対象物４に固定する方法である。
面ファスナ７は、マジックテープ（登録商標）ともいい、フックという繊維が多数突出した一方のシート７ａと、ループという繊維が多数突出した他方のシート７ｂとからなり、それらを押し付け合うとフックとループが絡まって固定されるものである。任意の市販のものを用いることができる。
但し、面ファスナ７の両側に両面テープが既に設けられているものも市販されており、それを用いるのが好ましい。
尚、面ファスナ７の一方のシート７ａと他方のシート７ｂの配置を逆にし、他方のシート７ｂを平坦面３ａ側に貼付し、一方のシート７ａを取付対象物４側に貼付してもよい。
面ファスナ７を用いることにより、ペンホルダー１を取付対象物４に必要に応じて何回も着脱できる。
【００２５】
マグネットシートを使う方法は、図２（ｄ）に示すように、凸条部分３の平坦面３ａに両面テープ６を介してマグネットシート８を貼付する方法である。
マグネットシート８は、フェライト(酸化鉄)と、バインダとしての樹脂（塩素化ポリエチレン等）を混ぜてシート状にし、フェライトを磁化したものである。マグネットシート８の一面に両面テープが既に設けられているものも市販されており、それを用いるのが好ましい。
マグネットシート８を使う場合、取付対象物４は鉄等の磁性を有する材料からなる必要があり、ホワイトボードやロッカーの壁面、家電製品の壁面等に限られる。
【００２６】
次に、本考案の実施形態のペンホルダー１の使用例について説明する。
図３（ａ）は、室内の壁面９に掲げられたカレンダー１０の横にペンホルダー１を取り付けた例を示し、図３（ｂ）は、室内の壁面９に貼られたグラフ１１の横にペンホルダー１を取り付けた例を示す。ペンホルダー１は、例えば、両面テープ６で直接壁面９に粘着し取り付ける。但しこれに限られず、面ファスナ７を用いて取り付けてもよく、壁面９が磁性体であれば、マグネットシート８を用いて取り付けても良い。これにより、ペンホルダー１に保持された筆記具５を取って、カレンダー１０に予定を記入したり、グラフ１１にデータを記入することができ、使用後はペンホルダー１に戻すことができる。このため、筆記具５が散逸せず、整頓される。
【００２７】
図４は、レストランの予約ボード１２に筆記具５を配置する例を示し、図４（ａ）は、従来の下端部の転がり止め１３に筆記具５を置いた例、図４（ｂ）は、本考案のペンホルダー１を配置した例である。ペンホルダー１は、例えば、両面テープ６で直接予約ボード１２の面に粘着し取り付けるが、図３（ａ）（ｂ）の例と同様、面ファスナ７や、可能であればマグネットシート８を利用しても良い。
図４（ａ）の従来の下端部の転がり止め１３に筆記具５を置いた例では、筆記具５は、転がり止め１３の各所に動いてしまい、両端部からはみ出して落下して散逸する恐れがある。また、取り上げる際、指でつまみにくいという欠点もある。
一方、図４（ｂ）の本考案のペンホルダー１を用いた場合は、筆記具５は一定の場所に保持されて着脱しやすい。
【００２８】
図５は、レストラン等のアンケート用紙の箱１５に筆記具を配置する場合の例を示し、図５（ａ）は、従来のアンケート用紙１４と同じ箱１５に筆記具を入れた例、図５（ｂ）は、箱１５の側面に本考案のペンホルダー１を取り付けた例を示す。
図５（ａ）の箱１５に筆記具５を入れた例では、筆記具５が雑然と置かれて取り出しにくい。
一方、図５（ｂ）の本考案のペンホルダー１を配置した例では、筆記具５の場所がすぐわかり、すぐに取り出しやすい。
【００２９】
なお、上記実施形態や使用例は、一例であり、本考案はこれらに限定されない。
例えば、上記実施形態では、ペンホルダー１の筒状部分２及び凸条部分３の材料としてプラスチックを用いたが、金属材料（鉄類）、非鉄金属材料（ステンレス・アルミニウム等）や木材、皮革、リサイクル材（紙類を圧縮成形または溶融後型で成形したもの）等の材料を用いても良い。
また、上記実施形態では、ペンホルダー１の筒状部分２及び凸条部分３を一体成型したが、別々に作成して接続しても良い。
【産業上の利用可能性】
【００３０】
本考案に係るペンホルダーは、文房具の分野において広く利用することができる。
【符号の説明】
【００３１】
１  ペンホルダー
２  筒状部分
３  凸条部分
３ａ  平坦面
４  取付対象物
５  筆記具
６  両面テープ
７  面ファスナ
７ａ  一方のシート
７ｂ  他方のシート
８  マグネットシート
９  （部屋の）壁面
１０  カレンダー
１１  グラフ
１２  予約ボード
１３  転がり止め
１４  アンケート用紙
１５  （アンケート用紙の）箱
【図１】
0003227323.tif 000003
【図２】
0003227323.tif 000004
【図３】
0003227323.tif 000005
【図４】
0003227323.tif 000006
【図５】
0003227323.tif 000007